【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
情報記録媒体（メディア）に対する記録用データの出力処理を行なう情報処理装置であり、
暗号化コンテンツと、該暗号化コンテンツの復号に適用する鍵情報と、コンテンツ管理情報を含み、データ記録先としてのメディアが変更されてもデータ内容が共通である共通データを記憶する記憶部と、
データ記録先としてのメディアに応じてデータ内容が変更されるメディア固有データを生成するメディア固有データ生成部と、
前記共通データとメディア固有データに基づく出力データを生成する出力データ生成部と、
前記出力データ生成部の生成したデータを出力するデータ出力部と、
を有することを特徴とする情報処理装置。
【請求項２】
前記メディア固有データ生成部は、
データ記録先としてのメディアに固有のメディア識別子を入力し、該メディア識別子を含むデータに対する電子署名データを含むメディア固有データを生成する処理を実行する構成であることを特徴とする請求項１に記載の情報処理装置。
【請求項３】
前記メディア固有データ生成部は、
データ記録先としてのメディアに固有のメディア識別子と、前記管理情報に含まれるコンテンツ証明書の識別情報を入力し、該メディア識別子およびコンテンツ証明書を含むデータに対する電子署名データを含むメディア固有データを生成する処理を実行する構成であることを特徴とする請求項１に記載の情報処理装置。
【請求項４】
前記出力データ生成部は、
前記共通データと、前記メディア固有データとを、異なるデータブロックとして設定し、設定したデータブロック単位の出力データを生成し、
前記データ出力部は、
前記データブロック単位のデータの出力処理を実行する構成であることを特徴とする請求項１に記載の情報処理装置。
【請求項５】
前記出力データ生成部は、
前記共通データを含み、前記メディア固有データ部をダミーデータに置きかえたデータを第１出力データとし、
前記メディア固有データを第２出力データとして、２つの出力データを生成し、
前記データ出力部は、
前記第１出力データ、および第２出力データの出力処理を実行する構成であることを特徴とする請求項１に記載の情報処理装置。
【請求項６】
前記出力データ生成部は、
前記共通データを含むファイルまたはファイルパッケージからなる共通データファイル出力データと、前記メディア固有データを含むファイルまたはファイルパッケージからなるメディア固有データファイル出力データを生成し、
前記データ出力部は、
前記共通データファイル出力データ、およびメディア固有データファイルの出力処理を実行する構成であることを特徴とする請求項１に記載の情報処理装置。
【請求項７】
入力データの情報記録媒体（メディア）に対する記録処理を実行する情報処理装置であり、
暗号化コンテンツと、該暗号化コンテンツの復号に適用する鍵情報と、コンテンツ管理情報を含み、データ記録先としてのメディアが変更されてもデータ内容が共通である共通データと、
データ記録先としてのメディアに応じてデータ内容が変更されるメディア固有データ、
を入力するデータ入力部と、
前記データ入力部を介する入力データをメディアに記録する処理を実行するデータ記録部とを有し、
前記データ記録部は、
前記共通データおよびメディア固有データを含むファイルシステムイメージのメディアに対する記録処理を実行する構成であることを特徴とする情報処理装置。
【請求項８】
前記データ入力部は、
前記共通データと、前記メディア固有データとが個別のデータブロックに設定されたブロック識別可能なデータを入力し、
前記データ記録部は、
前記ブロック識別可能なデータに基づいて、前記共通データと、前記メディア固有データとを識別してデータ記録処理を実行する構成であることを特徴とする請求項７に記載の情報処理装置。
【請求項９】
前記データ入力部は、
前記共通データを含み、前記メディア固有データ部をダミーデータに置きかえた第１入力データと、
前記メディア固有データからなる第２入力データを入力し、
前記データ記録部は、
前記第１入力データをメディアに記録した後、前記第１入力データのダミーデータ部に前記第２入力データを上書き、または論理的上書きを行なう構成であることを特徴とする請求項７に記載の情報処理装置。
【請求項１０】
前記データ入力部は、
前記共通データを含むファイルまたはファイルパッケージからなる共通データファイルと、前記メディア固有データを含むファイルまたはファイルパッケージからなるメディア固有データファイルを入力し、
前記データ記録部は、
前記共通データファイル、およびメディア固有データファイルに基づくファイルシステムイメージを生成してメディアに対するデータ記録を行なう構成であることを特徴とする請求項７に記載の情報処理装置。
【請求項１１】
情報処理装置において、情報記録媒体（メディア）に対する記録用データの出力処理を行なう情報処理方法であり、
メディア固有データ生成部において、データ記録先としてのメディアに応じてデータ内容が変更されるメディア固有データを生成するメディア固有データ生成ステップと、
出力データ生成部において、
暗号化コンテンツと、該暗号化コンテンツの復号に適用する鍵情報と、コンテンツ管理情報を含み、データ記録先としてのメディアが変更されてもデータ内容が共通である共通データを記憶部から取得し、前記共通データと前記メディア固有データに基づく出力データを生成する出力データ生成ステップと、
データ出力部において、前記出力データ生成ステップにおいて生成されたデータを出力するデータ出力ステップと、
を有することを特徴とする情報処理方法。
【請求項１２】
前記メディア固有データ生成ステップは、
データ記録先としてのメディアに固有のメディア識別子を入力し、該メディア識別子を含むデータに対する電子署名データを含むメディア固有データを生成する処理を実行するステップであることを特徴とする請求項１１に記載の情報処理方法。
【請求項１３】
前記メディア固有データ生成ステップは、
データ記録先としてのメディアに固有のメディア識別子と、前記管理情報に含まれるコンテンツ証明書の識別情報を入力し、該メディア識別子およびコンテンツ証明書を含むデータに対する電子署名データを含むメディア固有データを生成する処理を実行するステップであることを特徴とする請求項１１に記載の情報処理方法。
【請求項１４】
前記出力データ生成ステップは、
前記共通データと、前記メディア固有データとを、異なるデータブロックとして設定し、設定したデータブロック単位の出力データを生成するステップであり、
前記データ出力ステップは、
前記データブロック単位のデータの出力処理を実行するステップであることを特徴とする請求項１１に記載の情報処理方法。
【請求項１５】
前記出力データ生成ステップは、
前記共通データを含み、前記メディア固有データ部をダミーデータに置きかえたデータを第１出力データとし、
前記メディア固有データを第２出力データとして、２つの出力データを生成するステップであり、
前記データ出力ステップは、
前記第１出力データ、および第２出力データの出力処理を実行するステップであることを特徴とする請求項１１に記載の情報処理方法。
【請求項１６】
前記出力データ生成ステップは、
前記共通データを含むファイルまたはファイルパッケージからなる共通データファイル出力データと、前記メディア固有データを含むファイルまたはファイルパッケージからなるメディア固有データファイル出力データを生成するステップであり、
前記データ出力ステップは、
前記共通データファイル出力データ、およびメディア固有データファイルの出力処理を実行するステップであることを特徴とする請求項１１に記載の情報処理方法。
【請求項１７】
情報処理装置において、入力データの情報記録媒体（メディア）に対する記録処理を実行する情報処理方法であり、
データ入力部において、
暗号化コンテンツと、該暗号化コンテンツの復号に適用する鍵情報と、コンテンツ管理情報を含み、データ記録先としてのメディアが変更されてもデータ内容が共通である共通データと、
データ記録先としてのメディアに応じてデータ内容が変更されるメディア固有データ、
を入力するデータ入力ステップと、
データ記録部において、前記データ入力部を介する入力データをメディアに記録する処理を実行するデータ記録ステップを有し、
前記データ記録ステップは、
前記共通データおよびメディア固有データを含むファイルシステムイメージのメディアに対する記録処理を実行するステップであることを特徴とする情報処理方法。
【請求項１８】
前記データ入力ステップは、
前記共通データと、前記メディア固有データとが個別のデータブロックに設定されたブロック識別可能なデータを入力するステップであり、
前記データ記録ステップは、
前記ブロック識別可能なデータに基づいて、前記共通データと、前記メディア固有データとを識別してデータ記録処理を実行するステップであることを特徴とする請求項１７に記載の情報処理方法。
【請求項１９】
情報処理装置において、情報記録媒体（メディア）に対する記録用データの出力処理を行なわせるコンピュータ・プログラムであり、
メディア固有データ生成部に、データ記録先としてのメディアに応じてデータ内容が変更されるメディア固有データを生成させるメディア固有データ生成ステップと、
出力データ生成部に、
暗号化コンテンツと、該暗号化コンテンツの復号に適用する鍵情報と、コンテンツ管理情報を含み、データ記録先としてのメディアが変更されてもデータ内容が共通である共通データを記憶部から取得させ、前記共通データと前記メディア固有データに基づく出力データを生成させる出力データ生成ステップと、
データ出力部に、前記出力データ生成ステップにおいて生成されたデータを出力させるデータ出力ステップと、
を実行させることを特徴とするコンピュータ・プログラム。
【請求項２０】
情報処理装置において、入力データの情報記録媒体（メディア）に対する記録処理を実行させるコンピュータ・プログラムであり、
データ入力部に、
暗号化コンテンツと、該暗号化コンテンツの復号に適用する鍵情報と、コンテンツ管理情報を含み、データ記録先としてのメディアが変更されてもデータ内容が共通である共通データと、
データ記録先としてのメディアに応じてデータ内容が変更されるメディア固有データ、
を入力させるデータ入力ステップと、
データ記録部に、前記データ入力部を介する入力データをメディアに記録する処理を実行させるデータ記録ステップを有し、
前記データ記録ステップは、
前記共通データおよびメディア固有データを含むファイルシステムイメージのメディアに対する記録処理を実行させるステップであることを特徴とするコンピュータ・プログラム。
【手続補正２】
【補正対象書類名】明細書
【補正対象項目名】０００８
【補正方法】変更
【補正の内容】
【０００８】
コンテンツを記録したメディア、例えばディスクが再生のみを許容するＲＯＭ型である場合は、ディスクに対する新たなコンテンツの追加記録や、編集は実行されないので、ディスクに記録されるコンテンツや鍵情報は固定のまま変更する必要がない。しかし、一方、データ書き込みが可能なＲ型、ＲＥ型などのメディアを利用した形態では、ディスクに記録されたコンテンツが固定でなく、新たな追加コンテンツの記録や記録コンテンツの削除、更新といった処理が実行され、これらのデータ更新に応じて、ユニット鍵の追加や削除といった処理も必要となる。
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】削除
【補正の内容】
【手続補正５】
【補正対象書類名】明細書
【補正対象項目名】００５５
【補正方法】変更
【補正の内容】
【００５５】
（３）トークン
トークン（Ｔｏｋｅｎ）１３３は、本発明に従ったコンテンツ記録構成において適用されるデータであり、コンテンツを提供した装置、すなわち、例えば図１（ａ）に示すコンテンツサーバ１４や、図１（ｂ）に示す端末としてのコンテンツサーバ２４によって生成されて記録される。トークンのデータ構成例について図３を参照して説明する、トークン１３３は、図３に示すように、コンテンツの提供処理を実行するコンテンツサーバのサーバ情報１５１、例えばサーバの公開鍵やサーバ識別子（ＩＤ）などからなるサーバ情報１５１と、コンテンツを記録しようとする情報記録媒体の識別情報、すなわち前述のメディア識別子１３２を含むデータに対して、コンテンツサーバの秘密鍵を適用して生成した署名データ１５２によって構成される。なお、署名データ１５２は、メディア識別子と、例えばコンテンツ証明書等の証明書データＩＤを含むデータに対する署名データとしてもよい。